(57)【要約】【課題】子供に対して快適な環境を与え得る車両用子供座席を提供する。【解決手段】車両用子供座席１は、前方端にまで延びる溝１１を表面に有する座ベース１０と、座ベース１０上に配置され、溝１１に対応する貫通穴２１を有するクッション材２０と、座ベース１０の前方端およびクッション材２０を覆うカバー部材３０を備える。カバー部材３０は、その前方端に前後方向に貫通する開口を有する枠部材を含む。【選択図】        図２
2004359052.tif 000002
【特許請求の範囲】
【請求項１】
前方端にまで延びる溝を表面に有する座ベースと、
前記座ベース上に配置され、前記溝に連通する貫通穴を有するクッション材とを備える、車両用子供座席。
【請求項２】
前記座ベースは、前方端にまで延びる溝を複数本有し、
前記クッション材は、前記各溝に沿って整列する複数の穴列を有している、請求項１に記載の車両用子供座席。
【請求項３】
前記座ベースの前方端および前記クッション材を覆うカバー部材をさらに備え、
前記カバー部材は、その前方端に前後方向に貫通する開口を有する枠部材を含む、請求項１または２に記載の車両用子供座席。
【請求項４】
前記枠部材は、格子状の形状を有している、請求項３に記載の車両用子供座席。
【発明の詳細な説明】
【０００１】
【発明の属する技術分野】
この発明は、車の座席上に置かれて使用される車両用子供座席に関するものである。この車両用子供座席は、身体の大きい子供が使用するのに適したジュニアシートおよび身体の小さい乳幼児が使用するのに適したチャイルドシートの両者を含むものである。
【０００２】
【従来の技術】
車の座席に座る子供の座高位置を高めて、車に備え付けのシートベルトを使用できるようにするために、多くの車両用ジュニアシートが市場に提供されている。子供の身体が大きい場合には、ジュニアシートに座った子供の身体を車両に備え付けのシートベルトによって拘束することができる。
【０００３】
身体が小さい乳幼児の場合には、車に備え付けのシートベルトを用いてチャイルドシートを車の座席に固定して取り付け、チャイルドシートに備え付けの例えば５点式シートベルトによって乳幼児の身体を拘束する。
【０００４】
【発明が解決しようとする課題】
上記のような車両用子供座席に着座した子供に対して、快適な環境を与えることが望まれる。子供の尻は子供座席の座面上に圧接しているので、尻と座面との間に熱気や湿気が滞留しやすい。このような熱気や湿気は子供に対して不快感を与えるし、子供の健康を害するおそれもある。
【０００５】
この発明の目的は、子供に対して快適な環境を与え得る車両用子供座席を提供することである。
【０００６】
【課題を解決するための手段】
この発明に従った車両用子供座席は、前方端にまで延びる溝を表面に有する座ベースと、この座ベース上に配置され、上記溝に連通する貫通穴を有するクッション材とを備える。
【０００７】
子供座席上に着座した子供の身体の動きに応じて、尻の下に敷かれたクッション材は、圧縮および膨張を繰り返す。このクッション材の圧縮および膨張によって、クッション材の貫通穴および座ベースの溝を通過する空気の流れが生ずる。この空気の流れは、子供の尻と座面との間の熱気や湿気を取り除くように作用するので、子供に対して快適な環境を与えることができる。
【０００８】
好ましくは、座ベースは、その前方端にまで延びる溝を複数本有し、クッション材は、上記の各溝に沿って整列する複数の穴列を有している。このような構成であれば、熱気や湿気の除去効果を一層高められる。
【０００９】
好ましくは、車両用子供座席は、座ベースの前方端およびクッション材を覆うカバー部材をさらに備える。カバー部材は、その前方端に前後方向に貫通する開口を有する枠部材を含む。座ベースの前方端およびクッション材の前方端に空気取り入れ口を設けることが望ましいが、空気取り入れ口が大きな開口面積を有するものであれば、子供が指を空気取り入れ口に差し込む危険性がある。このような危険性を回避するために、上記のような枠部材を設けるのが望ましい。一つの実施形態では、枠部材は、格子状の形状を有している。
【００１０】
【発明の実施の形態】
図１〜図４は、この発明の一実施形態を示している。図示する車両用子供座席１は、ジュニアシートと呼ばれるものであり、身体の大きい児童が使用するのに適したものである。この発明は、ジュニアシートだけに適用されるものではなく、身体の小さい乳幼児が使用するのに適したチャイルドシートにも適用可能であることを予め記載しておく。
【００１１】
車両用子供座席１は、図３に示す座ベース１０と、図４に示すクッション材２０と、座ベース１０の前方端およびクッション材２０とを覆うカバー部材３０とを備える。
【００１２】
図３に示すように、座ベース１０は、その後方端から前方端にまで延びる複数の溝１１を表面に有している。図示する実施形態では、５列の溝１１が形成されている。
【００１３】
図２および図４に示すように、座ベース１０の上に配置されるクッション材２０は、座ベース１０の各溝１１に連通する複数の貫通穴２１を有している。図示する実施形態では、クッション材２０は、各溝１１に沿って整列する５個の穴列を有している。
【００１４】
図２から明らかなように、座ベース１０の前方端部分１０ａは下方に向かって傾斜したテーパ状の表面を有しており、クッション材２０の前方端部分２０ａは、上方に向かって傾斜したテーパ状の表面を有している。そのため、座席１の前方端には、前方に行くほど次第に開口面積が大きくなる空気取り入れ口が形成される。
【００１５】
カバー部材３０の前方端部分には、上記の空気取り入れ口に対応する部分に開口が形成されており、この開口部分に枠部材３１が取付けられている。枠部材３１は、前後方向に貫通する開口３１ａを有する。図示した実施形態では、枠部材３１は、格子状の形状を有している。
【００１６】
子供座席１上に着座している子供は、頻繁に身体を動かす。この子供の身体の動きに伴って尻の位置がずれるので、尻に接するクッション材２０は圧縮および膨張を繰り返す。この空気の流れは、子供の尻と座面との間の熱気や湿気を取り除くように作用する。座席１の前方端にある大きなテーパ状開口の空気取り入れ口は、空気の出入りを促進する。
【００１７】
カバー部材３０の前方端に取付けられた枠部材３１の存在によって、子供が指を空気取り入れ口に差し込む危険性を回避できる。
【００１８】
以上、図面を参照してこの発明の一実施形態を説明したが、この発明は、図示した形態のものに限定されない。この発明と同一の範囲内において、あるいは均等の範囲内において、図示した実施形態に対して種々の修正や変形を加えることが可能である。
【図面の簡単な説明】
【図１】この発明の一実施形態を示す斜視図である。
【図２】図１に示した車両用子供座席の断面図である。
【図３】座ベースを示す斜視図である。
【図４】クッション材を示す斜視図である。
【符号の説明】
１  車両用子供座席、１０  座ベース、１０ａ  前方端、１１  溝、２０  クッション材、２０ａ  前方端、２１  貫通穴、３０  カバー部材、３１  枠部材、３１ａ  開口。
【図１】
2004359052.tif 000003
【図２】
2004359052.tif 000004
【図３】
2004359052.tif 000005
【図４】
2004359052.tif 000006